(57)【要約】【課題】流量計測装置下流に設置されたガス器具を判別するために使用する判別情報（登録データ）を登録する時に立ち消えが起きても、正しく判別情報を登録すること。【解決手段】ガス流量を一定時間間隔で計測する流量計測手段３と、器具情報記憶手段６と、流量計測手段３から出力される流量値と所定の時間前の差分値を計測の度に計算する第１の演算手段と、流量計測手段３の下流に接続されるガス器具が１台で動作させた時の流量値若しくは、差分値を登録データとして器具情報記憶手段３に登録するとともに、登録データを検出中にガス器具の着火失敗を検出した場合には登録データの登録を中止する登録手段１０と、登録手段１０が、器具情報記憶手段３に登録が完了時若しくは、ガス器具の着火が失敗した時に報知を行う報知部１１と、器具情報記憶手段６の情報に基づいてガス器具の動作を判別する器具判別部８とを備える構成とする。【選択図】図１
2008197049.tif 000002
【特許請求の範囲】
【請求項１】
計測流路を流れるガスの流量を所定の時間間隔で計測する流量計測手段と、前記計測流路の下流に接続されたガス器具の登録データを記憶する器具情報記憶手段と、前記流量計測手段から出力される流量値と所定の時間前の流量値との差分値を前記計測時間間隔ごとに計算する第１の演算手段と、前記ガス器具を１台だけで動作させた時の前記流量値若しくは、前記差分値を登録データとして前記器具情報記憶手段に登録するとともに、前記登録データを検出中に前記ガス器具の着火失敗を検出した場合には前記登録データの登録を中止する登録手段と、前記登録手段が、前記器具情報記憶手段に登録が完了時若しくは、前記ガス器具の着火が失敗した時に報知を行う報知部と、前記器具情報記憶手段の情報に基づいて前記ガス器具の動作を判別する器具判別部とを備える流量計側装置。
【請求項２】
流量計測装置は、差分値が予め定めた正の閾値より大きくなった時刻ａより所定時間前の流量Ｑａと前記時刻ａ後、前記差分値の絶対値が前記正の閾値より小さくなった時刻ｂの流量Ｑｂとの流量差（Ｑｂ−Ｑａ）を計算する第２の演算手段とを備え、登録データとは、前記時刻ｂの流量Ｑｂ若しくは、前記流量差（Ｑｂ−Ｑａ）である請求項１に記載の流量計測装置。
【請求項３】
登録手段は、時刻ｂの流量Ｑｂ若しくは、流量差（Ｑｂ−Ｑａ）が所定流量より小さい場合には、着火失敗と判断して登録データの登録を中止する請求項２に記載の流量計測装置。
【請求項４】
登録手段は、時刻ａからの経過時間が所定時間より大きくなった時の流量計測手段が計測する流量が所定流量より小さい場合には、着火失敗と判断して登録データの登録を中止する請求項２に記載の流量計測装置。
【請求項５】
第２の演算手段は、失火を確認後所定の時間までに再度差分値が予め定めた正の閾値より大きくなった場合には、その時刻ｃより所定時間前の流量Ｑｃと前記時刻ｃ後、前記差分値の絶対値が前記正の閾値より小さくなった時刻ｄの流量Ｑｄとの流量差計算し、登録手段は、流量差（Ｑｄ−Ｑｃ）を登録データとして器具情報記憶手段に登録する請求項３または４に記載の流量計測装置。
【請求項６】
流量計測手段は、前記流量計測手段としての超音波流量計を用いた請求項１から５のいずれか１項に記載の流量計測装置。
【請求項７】
請求項１から６のいずれか１項に記載の流量計測装置の少なくとも一部をコンピュータに実行させるプログラム。
【発明の詳細な説明】
【技術分野】
【０００１】
本発明は、各家庭でのガス供給管の入り口部分に設置され、ガス流量を計測するガスメータにおいて、ガス器具別料金等の使用器具やその使い方に合わせた新料金やサービスを提供するために使用中のガス器具を判別検知する技術に関するものである。
【背景技術】
【０００２】
従来、この種の流量計測装置１は、図８に示すように、流量計測装置の流路内に流れるガスの流量を計測する流量計測手段３と、各ガス器具の燃焼にともなって発生する一連のガス流量パターンを記憶する登録器具流量パターンテーブル４と、流量計測手段３が計測する流量から現在動作中のガス器具の流量パターンを抽出するパターン抽出手段５と、登録器具流量パターンテーブル４に記憶されているガス器具の流量パターンとパターン抽出手段５が抽出した今動作中のガス器具の流量パターンとを比較して、今動作中のガス器具を特定する器具判別手段９と、登録器具流量パターンテーブル４に登録されていないガス器具が動作して、器具判別手段９が動作中のガス器具を判別できない場合に、パターン抽出手段５が抽出したデータ（好ましくは、複数回における流量パターンの平均値）を登録器具流量パターンテーブル４に登録するパターン登録手段１０とで構成されている。
【０００３】
登録手段１０は、未登録の流量パターンを検出すると、そのガス器具が頻繁に動作するガス器具であるならば、通信回線を利用して新規ガス器具と思われる流量パターンとそのガス器具名などのデータを遠隔のセンタから受信して、登録器具流量パターンテーブル４に登録するしくみをとっている。
【０００４】
これによって流量計測装置１は、通常１０年程度使用されているため流量計測装置１が設置されてからも新しいガス器具が販売される可能性が大きいので、そういった市場投入後に発売されるガス器具の判別にも対応できるようになっている。
【０００５】
つまりは、新規ガス器具が流量計測装置設置後に発売された場合には、そのガス器具を別途数回動作させて、そのガス器具の流量パターンを遠隔のセンタから取得して、その後の判別に活用しようとしたものである。
【特許文献１】特開２００３−１４８７２８号公報
【発明の開示】
【発明が解決しようとする課題】
【０００６】
しかしながら、前記従来の構成では、次のような課題がある。流量パターンを抽出するためにガス器具を動作させているときに、例えばガス器具がガステーブルであった場合には、着火用の火花を発生させる電池の消耗やガス器具とガス配管とを接続した直後ではガス流路内に空気が含まれている場合が多いため、着火後すぐに失火するケースがある。
【０００７】
その場合の流量パターンは、正常に点火したものと比べて不十分な流量パターンとなる。そのため、このパターンを登録したり、このパターンを基に計算された平均値を登録したりすると正常に動作した流量パターンで今動作したガス器具を判別することができないので誤った判断をしたり、新規ガス器具の流量パターンの登録を２重に行ってしまったりする。
【０００８】
２重に登録することになると、無駄なデータを記憶させる記憶領域の確保や、登録者が器具情報記憶手段から失火時に関わる流量パターン等を消去する作業が必要となり、登録者にとっては煩雑さが増加するものになってしまう。
【０００９】
本発明は、前記従来の課題を解決するもので、流量計測装置が新規ガス器具の判別に必要な判別データを登録する時にガス器具が何かの理由で失火した場合に、失火時に関わる流量パターンを除いた正常に動作した時だけの流量パターン（以下登録データと呼ぶ）を使って器具判別手段が判別できるようにすることを目的とする。
【課題を解決するための手段】
【００１０】
前記従来の課題を解決するために、本発明の流量計測装置は、計測流路を流れるガスの流量を所定の時間間隔で計測する流量計測手段と、前記計測流路の下流に接続されたガス器具の登録データを記憶する器具情報記憶手段と、前記流量計測手段から出力される流量値と所定の時間前の流量値との差分値を前記計測時間間隔ごとに計算する第１の演算手段と、前記ガス器具を１台だけで動作させた時の前記流量値若しくは、前記差分値を登録データとして前記器具情報記憶手段に登録するとともに、前記登録データを検出中に前記ガス器具の着火失敗を検出した場合には前記登録データの登録を中止する登録手段と、前記登録手段が、前記器具情報記憶手段に登録が完了時若しくは、前記ガス器具の着火が失敗した時に報知を行う報知部と、前記器具情報記憶手段の情報に基づいて前記ガス器具の動作を判別する器具判別部とを備えるとしたものである。
【００１１】
これによって、前記ガス器具とは、例えば宅内（主に台所）にあるガステーブルである。ガステーブルには、回転式やプッシュ式等の着火方式があるが、ユーザの操作の加減によって一度着火してもすぐに失火（立ち消え）してしまう場合がある。この場合、立ち消え安全装置が作動して、ガステーブル燃焼部へのガス供給が遮断される。そうすると、前記流量計測部が計測するガス流量は、本来失火しなかった場合のものと大きく異なり、正確に登録データを登録できない。
【００１２】
だから、登録データを登録中にガス器具が失火した場合には、登録動作自体を中止することによって、間違った登録データで動作している器具を誤判定することを防止する。つまりは、前記器具判別部が高精度な判別を行うことを可能にする。
【発明の効果】
【００１３】
本発明の流量計測装置及びそのプログラムは、流量計測装置の下流に接続されるガス器具がガステーブルなどの着火時直後に失火する可能性のあるガス器具であった時で、かつ、そのガス器具の登録データを登録している際に着火直後に失火した場合にでも、正常に着火した場合だけの登録データ（流量計測手段が計測する流量そのものや流量パターン、流量パターンの時間特性）で動作しているガス器具を判別できるようにすることである。つまりは、器具判別部が高精度な判別を行うことを可能にする。
【発明を実施するための最良の形態】
【００１４】
第１の発明は、計測流路を流れるガスの流量を所定の時間間隔で計測する流量計測手段と、前記計測流路の下流に接続されたガス器具の登録データを記憶する器具情報記憶手段と、前記流量計測手段から出力される流量値と所定の時間前の流量値との差分値を前記計測時間間隔ごとに計算する第１の演算手段と、前記ガス器具を１台だけで動作させた時の前記流量値若しくは、前記差分値を登録データとして前記器具情報記憶手段に登録するとともに、前記登録データを検出中に前記ガス器具の着火失敗を検出した場合には前記登録データの登録を中止する登録手段と、前記登録手段が、前記器具情報記憶手段に登録が完了時若しくは、前記ガス器具の着火が失敗した時に報知を行う報知部と、前記器具情報記憶手段の情報に基づいて前記ガス器具の動作を判別する器具判別部とを備えることによって、次のような効果を得る。
【００１５】
それは、前記ガス器具とは、例えば宅内（台所など）にあるガステーブルである。ガス
テーブルには、回転式やプッシュ式等の着火方式があるが、ユーザの操作の加減によって一度着火してもすぐに失火（立ち消え）してしまう場合がある。この場合、立ち消え安全装置が作動して、ガステーブル燃焼部へのガス供給が遮断される。そうすると、前記流量計測部が計測するガス流量は、本来失火しなかった場合のものと大きく異なり、正確に登録データを登録できない。
【００１６】
だから、登録データを登録中にガス器具が失火した場合には、登録動作自体を中止することによって、間違った登録データで動作している器具を誤判定することを防止する。つまりは、前記器具判別部が高精度な判別を行うことを可能にする。
【００１７】
第２の発明は、特に、第１の発明の流量計測装置は、差分値が予め定めた正の閾値より大きくなった時刻ａより所定時間前の流量Ｑａと前記時刻ａ後、前記差分値の絶対値が前記正の閾値より小さくなった時刻ｂの流量Ｑｂとの流量差（Ｑｂ−Ｑａ）を計算する第２の演算手段とを備え、登録データとは、前記時刻ｂの流量Ｑｂ若しくは、前記流量差（Ｑｂ−Ｑａ）であることによって次のような効果を得る。
【００１８】
それは、ガス器具が動作を開始すると、前記差分値に変化が生じる。また、前記流量計測装置が計測する流量は、ガス器具が動作していなくても以前に流れていた流量によって慣性の法則が働き惰性で若干（１［Ｌ／ｈ］〜２［Ｌ／ｈ］）流れていたり、ガスボンベが設置される屋外とガス器具が設置される屋内との温度差等によってガス圧に偏りが生じ若干（１［Ｌ／ｈ］〜２［Ｌ／ｈ］）流れていたりするので、０にはならない。
【００１９】
だから、器具動作による流量変化を予め定めた正の閾値を差分値が超えるか否かで判断することによって、ガス器具が止まっているにも関わらず若干流れている流量の影響を考慮しなくてもよくなる。
【００２０】
第３の発明は、特に、第２の発明の前記登録手段は、前記時刻ｂの流量Ｑｂ若しくは、前記流量差（Ｑｂ−Ｑａ）が所定流量より小さい場合には、着火失敗と判断して前記登録データの登録を中止することによって次のような効果を得る。
【００２１】
それは、着火が失敗するとガスが流れないので、前記流量計測手段が計測する流量が前記所定流量（例えば５［Ｌ／ｈ］）以下であることを着火失敗と判断することによって間違った登録データで動作している器具を誤判定することを防止する。つまりは、前記器具判別部が高精度な判別を行うことを可能にする。
【００２２】
第４の発明は、特に、第２の発明の前記登録手段は、前記時刻ａからの経過時間が所定時間より大きくなった時の前記流量計測手段が計測する流量が前記所定流量より小さい場合には、着火失敗と判断して前記登録データの登録を中止することによって、次のような効果を得る。
【００２３】
それは、ガス器具によっては、前記差分値の絶対値が例えば１分程度経過しないと前記正の閾値以下にならないものもある。また、前記ガス器具の中で着火後に前記所定流量（例えば５［Ｌ／ｈ］）以下になることはない。そのため、着火後前記所定時間経過したときの前記流量計測手段が計測する流量が前記所定流量（例えば５［Ｌ／ｈ］）以下であることを前記登録手段が着火失敗と判断することによって間違った登録データで動作している器具を誤判定することを防止する。つまりは、前記器具判別部が高精度な判別を行うことを可能にする。
【００２４】
第５の発明は、特に、第３または第４の発明の前記第２の演算手段は、失火を確認後所定の時間までに再度前記差分値が予め定めた正の閾値より大きくなった場合には、その時
刻ｃより前記時間前の流量Ｑｃと前記時刻ｃ後、前記差分値の絶対値が前記正の閾値より小さくなった時刻ｄの流量Ｑｄとの流量差計算し、前記登録手段は、前記流量差（Ｑｄ−Ｑｃ）を登録データとして前記器具情報記憶手段に登録することによって次のような効果を得る。
【００２５】
それは、登録データを登録する場合、一度失火して登録者は再度操作を行い、ガス器具を着火する場合が多い。失火のたびに報知を行うのではなく、前記登録手段が失火したことを検出することによってその部分に関わる流量変化を除いた流量変化をガス器具の登録データとして前記器具情報記憶手段に記憶することによって間違った登録データで動作しているガス器具を誤判定することを防止する。つまりは、前記器具判別部が高精度な判別を行うことを可能にする。
【００２６】
更に、通常失火しても、登録者は再度ガス器具への操作を行い着火に成功した場合には、その成功した部分だけの登録データを前記器具情報記憶手段に記憶することができれば、登録者はガス器具の傍から離れて、宅外にある流量計測装置に失敗の有無を確認する必要がなくなるので、登録者の煩雑さを軽減することができる。もし失火して登録データの登録を中止した場合には、登録者は、ガス器具の傍から宅外になる流量計測装置の設置場所まで赴き、中止したことを確認し別途操作をして再び登録データの登録が可能になるようにする作業が必要となる。このように中止が発生したことの確認と再登録の準備を行う作業が不要になるので、登録者の煩雑さの軽減につながる。
【００２７】
第６の発明は、請求項１から５のいずれか１項に記載の流量計測装置の流量計測手段は、瞬時流量計測手段としての超音波流量計を用いた構成により流量が変化した瞬間に器具判別動作や学習動作を作動させることができ細かく流量変化を捉えることで器具判別精度を向上することができる。
【００２８】
第６の発明は、請求項１から６のいずれか１項に記載の流量計測装置の少なくとも一部をコンピュータに実行させるプログラムとすることにより、パソコンなどで容易に実現することができ、そのプログラムを記録した記録媒体を用いることでソフトウェアを各利用者の家庭でインストールする作業も容易になる。
【００２９】
以下、本発明の実施の形態について、図面を参照しながら説明する。なお、この実施の形態によって本発明が限定されるものではない。
【００３０】
（実施の形態１）
図１において、１は流量計測装置であり、ガス供給管の途中に設けられ、その下流側の配管には各顧客宅内に設置された１台以上のガス器具が接続されている。流量計測装置内部はガス管に接続されたガスの流路内に設けられた遮断手段であるガス遮断弁１ａと、流量計測手段３と、使用ガス流量を表示する表示部１ｂと、地震などの振動を検出する感震器１ｃと、本発明に関わる器具判別を行うための器具情報記憶手段６と、第１の演算手段７と、第２の演算手段８と、器具判別手段９と、登録手段１０と、報知手段１１と、感震器１ｃの作動や器具判別機能、保安機能を統括制御する制御回路１２及びそれらの動力源となる電池（図示せず）を内蔵している。
【００３１】
ここで、流量計測手段３の動作について図２を用いて説明する。図２において、計測流路１３は矩形断面を持っており、計測流路１３のガスの流れる方向と直角方向にある壁面には計測流路１３を挟んで一対の超音波送受信器１４、１５が流路の上流側と下流側で角度φを有して斜めに対向して装着されている。超音波送受信器１４、１５間で交互に超音波を送受信させて流体の流れに対して順方向と逆方向の超音波の伝搬時間の差を一定間隔を置いて計り、伝搬時間差信号として出力する働きを持つ。この伝搬時間差信号を受けて
計算手段（図示せず）により被計測流体の流速及び流量を算出するものである。
【００３２】
算出式を下記に示す。
【００３３】
図２においてＬは測定距離であり、ｔ１を上流からの伝達時間、ｔ２を下流からの伝達時間、Ｃを音速とすると、計測ポイントの時刻Ｔでの流速Ｖは
式（１）  Ｖ＝（Ｌ／２ｃｏｓφ）（（１／ｔ１）−（１／ｔ２））
である。更に、流速を計測するポイントによって計測流路１３に流れるガスは突発的に変化するので、流路全体からみた流速よりも大きかったり、小さかったりする場合があるので、その影響を小さくするために前回計測した流速Ｖ’との平均を流量計測手段３が計測する計測流量（以下、流量と呼ぶ）としている。なお、本発明の流量計測手段３に関しては、超音波方式の計測手段を使用しているが、計測方式としては、他の流量計測方式でもフルディック方式などの短時間に一定サイクルで連続計測可能であれば使用可能である。
【００３４】
本実施の形態における計測の時間間隔は超音波の送受信が可能な範囲で設定できるが、本発明では２秒間隔の計測を行っている。更に時間間隔を小さくすることは測定原理上可能であり、ガス器具によっては２秒より短時間で起動する器具もあるため、測定時間間隔を小さくすることは器具判別を瞬時に行う点では有利となるが、計測間隔を短くすると電池の消耗が大きくなるなどの課題がある、また計測時間を従来のガスメータで使用している膜式方式と同等の計測間隔が２桁オーダーの秒数間隔になると、本発明のアルゴリズムの流量変化の差分を見て判断することが困難になり、コストや器具判別の性能面からバランスの良い時間として本発明では２秒間隔計測で行っている。
【００３５】
器具情報記憶手段６は、図３に示すようにガス器具を動作させたときの最大の流量とガス器具を動作させたときの最小の流量とがガス器具毎に判別値として記憶する半導体メモリである。この判別値は、登録手段１０によって登録されるものである。登録手段１０が判別値を登録する方法については、実際にガス器具を動作させて数値を収集することによって登録されるものとする。
【００３６】
ここで、最大の流量とは、ファンヒータでいうと、スイッチをＯＮして動作させた時にファンヒータが使用するガス消費量と等しい。ガスストーブならば全開設定で動作させた時に使用するガス消費量と等しい。ガステーブル（プッシュ式点火のガステーブル）ならば、点火して火力調節レバーを動かさない場合に使用するガス消費量と等しい。なお、記録の追加、書き換えができるものであれば、磁気記憶媒体その他でもよい。
【００３７】
器具判別手段９は、第１の演算手段７が計算する差分値を監視し、必要なときに第２の演算手段８が計算する流量差と器具情報記憶手段６に記憶されている判定値とを比較して、動作を開始した器具を判別する処理部である。また、判別したガス器具について、２秒ごとに動作しているガス器具毎のガス使用量を算出する。更に、動作中の器具が停止したときにおいても、第１の演算手段７が計算する差分値を監視し、必要なときに第２の演算手段８が計算する流量差とガス器具毎のガス使用量とを比較して停止したガス器具を特定するものである。また、動作しているガス器具の使用している流量を管理する処理部である。
【００３８】
図３は、器具使用開始時の動作不良である着火直後に失火してしまう場合のガステーブルの使用する（計測流路１３に流れる）ガス流量の時間変化である。図に示すように時刻Ｔ０１でユーザの操作によって着火されて、時刻Ｔ０４までガスが計測流路に流れるものの、すぐに失火してガステーブルが予め備える立ち消え安全装置が作動して、時刻Ｔ０５にガス遮断され、流量計測手段３が計測する流量が０になってしまう。Ｔ０５で流量計測装置３がガス流量を計測しているようになっているのは、２秒前との平均を取っているた
めである。
【００３９】
以上を踏まえて、本実施の形態における流量計測装置の動作を図４のフローチャートを用いて説明する。まず登録者によって流量計測装置が判別情報を登録できるように動作のモードを変更する（登録モードへ移行させる）（Ｓ４０１）。本実施の形態では流量計測装置が登録モードにない場合の動作については、詳細な説明を行わないが、流量計測装置が登録モードでない時は、単に流量計測装置より下流に流れるガスの流量を計測し、必要ならば使用されたガス器具を判別する（Ｓ４０２）。本実施の形態では、この処理のことを通常の計測と呼ぶ。
【００４０】
通常モードから登録モードへの切替は、入力部（図示せず）であるスイッチなどを用いて、登録者がスイッチを切り替えることによって行うものとする。また、登録者以外が簡単に通常モードから登録モードに遷移させることがないように、特殊なスイッチ操作を行うことを登録者に要求したり、特殊な工具の使用を要求したりすることで切り替えるものであることが望ましい。
【００４１】
その後、登録者が宅内に戻り、時刻Ｔ０１からガステーブルを動作させたとすると、時刻Ｔ０１で流量計測手段３が計測する流量は４０［Ｌ／ｈ］（Ｓ４０３）で、第１の演算手段７が計算する差分値は４０［Ｌ／ｈ］となり３［Ｌ／ｈ］より大きいので（Ｓ４０４）、現在までに登録実施は確定していないので（Ｓ４０５）、以後初めて差分値が３［Ｌ／ｈ］以下になった時刻で流量変化を発生させたガス器具を判別することが確定する。更に差分値が正なので（Ｓ４０６）、動作を開始したガス器具の判別情報を登録することが確定する（Ｓ４０７）。
【００４２】
なお、本実施の形態では第１の演算手段が計算する差分値は、現時刻より４秒前の差分値のこととする。また、第１の演算手段７が計算する差分の時間間隔を４秒としたのは、以下のことを考慮したためである。それは図４においては、ガス流量の変化が流量計測手段３の計測タイミングに合わせて変化していると仮定しているが、本来ならば、そういうことはない。つまり、計測タイミングとは無関係にガス器具が起動・停止する。図５は、流量計測手段３が計測するタイミングと器具が動作して流量変化が発生するタイミングが異なっている場合の流量計測手段３が計測する流量を示す図である。この図においてのガステーブルは直下直後に失火することなく時刻Ｔ０５’までに流量が安定してガスを燃焼し続けるものとする。
【００４３】
そうすると、差分値の時間間隔を２秒にした場合の第２の演算手段８が計算する流量は、時刻Ｔ００’から時刻Ｔ０７’の間に変化した流量変化と見なすことになるので、１２８［Ｌ／ｈ］となり、正確に器具の流量変化を捕まえることができない。更に、流量計測手段３が計測する流量は、現時点と２秒前の流速との平均なので、現在の流量は２秒前の流量の影響を受ける。だから、何ら影響を受けない４秒前の流量を差分値の基準に取ることにする。
【００４４】
更に、第１の演算手段７が計算する差分値が負の場合には、器具が動作したと見なすことができないので、登録不可を登録者に知らせる表示を報知手段１１によって行い（Ｓ４０８）、流量計測装置は登録モードからぬけ（Ｓ４０９）、通常の計測を実施する。
【００４５】
次に時刻Ｔ０２からＴ０４までは、ガステーブルの動作開始のために流量計測手段３が計測する（Ｓ４０３）流量が徐々に増加し差分値も３［Ｌ／ｈ］以上で（Ｓ４０４）、更に既に判別情報を登録することも確定しているので（Ｓ４０５）、次の（２秒後の）計測を待つ。時刻Ｔ０５からＴ０７についても流量計測手段３が計測する（Ｓ４０３）流量は、８０［Ｌ／ｈ］、０［Ｌ／ｈ］となり、第１の演算手段７が計算する差分値が負になっ
ているが、絶対値が３［Ｌ／ｈ］以上で（Ｓ４０４）、更に既に判別情報を登録することも確定しているので（Ｓ４０５）、次の（２秒後の）計測を待つ。
【００４６】
時刻Ｔ０８において、流量計測手段３が計測する（Ｓ４０３）流量は、時刻Ｔ０７の時の流量と同じ流量（０［Ｌ／ｈ］）で、第１の演算手段７が計算する差分値の絶対値は０［Ｌ／ｈ］で３［Ｌ／ｈ］より低い（Ｓ４０４）。ここで、時刻Ｔ０１で判別情報を登録することが確定しているので（Ｓ４１０）、第２の演算手段８は、現在の時刻Ｔ０７の流量（１３０［Ｌ／ｈ］）と判別することが確定した時刻Ｔ０１より４秒前の時刻Ｔ０の流量（０［Ｌ／ｈ］）との流量差（０［Ｌ／ｈ］）を計算し（Ｓ４１１）、この流量差の大きさがある所定の値（例えば、２０［Ｌ／ｈ］）以上ない場合には（Ｓ４１２）、報知手段によって登録しようとしたガス器具が失火した（立ち消え安全装置が作動した）ことを示す報知を行い（Ｓ４１５）、登録モードから抜け（Ｓ４０９）、通常の計測を実施する。
【００４７】
このことによってガス器具の登録データを登録しようとした場合に、例えばガス器具がガステーブルであった万が一立ち消えが発生しても間違った登録値を情報記憶手段６に書き込んでしまうことを防止することができる。情報記憶手段６に間違った情報を書き込んでしまうと、その情報を消去するしくみを流量計測装置１に組み込む必要があるので、消去するために必要な入力手段やプログラムを別途開発しなくてはいけなくなる。更に、登録者が間違って書き込んだ登録データを消去する作業を別途行う必要があるので、登録者にとっては煩雑さを増すことになるが、その作業を行うことがないので、登録者の煩雑さを低減することができる。
【００４８】
なお、第１の演算手段７が計算する差分値が負の値になっても、登録実施が確定していれば正の時と同じように扱うのは、ガス器具によっては起動時に安定になるときよりもたくさんガスを消費する器具があるためである。この時のガス器具が消費するガス流量の時間変化は図６のようにオーバーシュートがある時間特性を示す。また、ガステーブルが立ち消えしないで正確に流量差が計算できた場合には、その流量差を器具情報記憶手段６に書き込む（Ｓ４１３）。
【００４９】
そして、報知手段１１はガス遮断弁を制御して自身の下流に接続されるガス器具へのガス供給を遮断する（Ｓ４１４）。そうすると、ガス器具がガステーブルであれば、今まで炎を出して燃焼している状態から炎が消えた状態になるので、登録者が目で見て判別情報が登録されたことが分かる。また、ガス器具が給湯器であれば、登録者が直接炎を確認することが難しいが、給湯器自身が予め備えている失火を知らせる通知で、登録者がこの通知を給湯器の表示画面もしくは、給湯器から再生される音声データで判別情報が登録されたことが分かる。登録が完了すると流量計測装置は登録モードからぬけ（Ｓ４０９）、通常の計測を実施する。
【００５０】
加えて、本実施の形態においては、ガス器具１台が動作した時の第２の演算手段８が計算する流量差を登録したが、差分値が閾値である３［Ｌ／ｈ］を超えてから再び３［Ｌ／ｈ］以下になるまでの間の差分値の最大値を登録するようにしてもよい。
【００５１】
また、差分値が閾値である３［Ｌ／ｈ］を超えてから、例えば３０秒経過しても差分値が３［Ｌ／ｈ］以下にならなかった場合には、常時消費するガス流量が変化する器具と認識して、３０秒後の流量計測手段３が計測する流量が所定の値（２０［Ｌ／ｈ］）以上ない場合にも、失火したと判断するようにしてもよい。
【００５２】
そして、誤って流量計測装置が操作されて、流量計測装置が登録モードに移行する場合も考慮して、このモードになってから例えば１分間、第１の演算手段７が計算する差分値
が閾値を超えなかった場合には、器具情報記憶手段６に判別情報を記憶していなくても、通常の計測を行う。
【００５３】
また報知の方法は、本実施の形態ではガスを遮断することで登録完了を報知したが、流量計測装置が音声データなどを記憶していて、そのデータを再生することによって登録完了を報知するようにしてもよい。
【００５４】
（実施の形態２）
本実施の形態は、実施の形態１と同じ構成で、第２の演算手段が計算する流量差が所定の値（例えば、２０［Ｌ／ｈ］）未満の場合において、登録者に対して報知するのではなくそのまま登録モードを継続させるようにしたものである。図７に本実施の形態における流量計測装置１の動作を示すフローチャートを示す。図７の大半は実施の形態１のフローチャートと同じであるので、異なる部分のみの説明を行う。
【００５５】
本実施の形態の流量計測装置１は、第２の演算手段が計算する流量差が所定の値（例えば、２０［Ｌ／ｈ］）未満の場合において（Ｓ４１１）、「登録失敗を報知する」、「登録モードを抜ける」のではなく、Ｓ４０７で確定している登録を再度初期状態である未確定にして（Ｓ４１５’）２秒後（次の計測）を待つ。これによって、失火は登録者が目視すれば確認できるので、失火した場合には、登録者が再度器具を操作して着火しなおせば必要な登録データを器具情報記憶手段６に登録することができる。よって、ガス器具が失火した場合でも、宅内にいて再度着火しなおせば登録データを登録することができるので、登録が失敗した場合に再度流量計測装置１を登録モードに遷移させるための（流量計測装置１がある）宅外と（ガス器具がある）宅内とを往来する必要性をなくすことができ、登録者の煩雑さを低減することができる。
【００５６】
なお失火を検出した後、Ｓ４０７で確定している登録を再度初期状態である未確定にして（Ｓ４１５’）２秒後（次の計測）を待っても、例えば１分間、第１の演算手段７が計算する差分値が閾値を超えなかった場合には、器具情報記憶手段６に判別情報を記憶していなくても、通常の計測を行う。
【００５７】
以上で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作業が簡単にできる。
【産業上の利用可能性】
【００５８】
以上のように、本発明にかかる流量計測装置及びそのプログラムは、ガスメータの下流に接続されたガス器具が各時刻におけるガス使用量（流量）の計算を精度よく行うことができるので、ガス器具が適正に使用されているか監視する保安等の用途にも適用できる。
【図面の簡単な説明】
【００５９】
【図１】本発明の実施の形態１における流量計測装置の構成図
【図２】本発明の実施の形態１における流量計測部構成図
【図３】本発明の実施の形態１における器具を動作させた時の使用流量特性図
【図４】本発明の実施の形態１における流量計測装置の動作を説明するフローチャート
【図５】本発明の実施の形態１における流量計測手段が計測するタイミングと器具が動作して流量変化が発生するタイミングが異なっている場合の流量計測手段が計測する流量変化を示す特性図
【図６】本発明の実施の形態１における起動時にオーバーシュート現象がある器具の流量変化を示す特性図
【図７】本発明の実施の形態２における流量計測装置の動作を示すフローチャート
【図８】従来の流量計測装置の構成図
【符号の説明】
【００６０】
１  流量計測装置
３  流量計測手段
６  器具情報記憶手段
７  第１の演算手段
８  第２の演算手段
９  器具判別手段
１０  登録手段
１１  報知手段
【図１】
2008197049.tif 000003
【図２】
2008197049.tif 000004
【図３】
2008197049.tif 000005
【図４】
2008197049.tif 000006
【図５】
2008197049.tif 000007
【図６】
2008197049.tif 000008
【図７】
2008197049.tif 000009
【図８】
2008197049.tif 000010